【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
遊技演出用の画像を表示する表示装置と、直流電源を供給する電源装置を備え、前記表示装置は、表示部と当該表示部を背面側から照明するための表示部照明装置を有しており、前記表示部照明装置は、前記電源装置から供給される直流電源が入力される表示部照明装置駆動回路によって駆動される遊技機であって、
前記電源装置は、交流電源を入力し、電圧が制御された第１の直流電源と、電圧が制御されてなく、電源容量が前記第１の直流電源より大きい第２の直流電源を供給し、
前記表示部照明装置駆動回路は、電源変換回路と、制御回路と、動作電源供給回路を有しており、
前記電源変換回路は、スイッチング回路を有し、前記電源装置から供給される第２の直流電源を交流電源に変換して前記表示部照明装置に供給し、
前記制御回路は、
発振回路から出力される設定周波数の発振信号を用いて前記スイッチング回路をオン・オフ制御するオン・オフ制御手段と、
前記電源変換回路から供給される交流電源の電圧が第１の下限電圧設定値より小さくなると、前記スイッチング回路をオフ制御する電圧低下異常処理を実行するとともに電圧低下異常処理を保持する電圧低下異常処理手段と、
当該制御回路への動作電源の供給による動作開始時にリセット処理を実行し、前記電圧低下異常処理手段による電圧低下異常処理の保持を解除するリセット処理手段を有しており、
前記動作電源供給回路は、前記電源装置から供給される第２の直流電源の電圧が第２の下限電圧設定値より小さい時には前記制御回路への動作電源の供給を停止し、前記電源装置から供給される第２の直流電源の電圧が前記第２の下限電圧設定値より大きい時に前記制御回路に動作電源を供給し、
前記第２の下限電圧設定値は、前記電圧低下異常処理手段が電圧低下異常処理を実行した後に、前記動作電源供給回路が前記制御回路への動作電源の供給を停止するように設定されている
ことを特徴とする遊技機。
【請求項２】
請求項１に記載の遊技機であって、
前記動作電源供給回路は、
前記電源装置から供給される第２の直流電源を前記制御回路の動作電圧に対応する電圧を有する動作電源に変換する電圧変換回路と、
前記電源装置から供給される第２の直流電源の電圧が前記第２の下限電圧設定値より小さい時には前記電圧変換回路から前記制御回路への動作電源の供給を遮断し、前記電源装置から供給される第２の直流電源の電圧が前記第２の下限電圧設定値より大きい時には前記電圧変換回路から前記制御回路への動作電源の供給を許可する動作電源遮断回路を有している
ことを特徴とする遊技機。
【請求項３】
請求項１または２に記載の遊技機であって、前記オン・オフ制御手段は、前記発振回路から出力される設定周波数の発振信号と前記表示部照明装置の電流に基づいて前記スイッチング回路をオン・オフ制御することを特徴とする遊技機。
【手続補正２】
【補正対象書類名】明細書
【補正対象項目名】０００４
【補正方法】変更
【補正の内容】
【０００４】
前記目的を達成するための本発明の第１発明は、請求項１に記載されたとおりの遊技機である。
本発明で用いられている技術は、パチンコ機やパチスロ機等の種々の遊技機に好適に用いることができる。
本発明の遊技機は、遊技演出用の画像を表示する表示部と表示部を背面側から照明するための表示部照明装置を有する表示装置、表示部照明装置を駆動する表示部照明装置駆動回路、電源装置を備えている。
表示装置としては、典型的には、液晶パネル（表示部）及び液晶パネルを背面側から照明する液晶パネル照明装置（表示部照明装置）を有するバックライト式の液晶表示装置が用いられる。液晶パネル照明装置（バックライト光源）としては、好適には、冷陰極管が用いられる。この場合、表示部照明装置駆動回路として液晶パネル照明装置駆動回路が用いられる。なお、表示部は、背面側から照明されればよく、表示部照明装置の配置位置は、表示部の後方や側方であってもよい。
遊技機には、通常、交流電源を入力し、電圧が制御された第１の直流電源と、電圧が制御されていない第２の直流電源を供給する電源装置が用いられている。ここで、「電圧が制御された直流電源」は、電圧制御回路によって電圧がフィードバック制御されている直流電源を意味する。また、「電圧が制御されていな直流電源」は、電圧制御回路によって電圧がフィードバック制御されていない直流電源を意味する。電圧が制御されていない直流電源は、典型的には、交流電源を整流する整流回路（全波整流回路あるいは半波整流回路）と、整流回路で整流された直流電圧を平滑する平滑回路によって生成される。なお、交流電源の電圧あるいは直流電源の電圧を分圧する分圧回路が用いられることもある。このような電源装置としては、例えば、ＡＣ２４Ｖ電源を入力し、電圧が制御されたＤＣ１２Ｖ電源と、電圧が制御されていないＤＣ３４Ｖ電源を供給する電源装置が用いられる。なお、本明細書では、ＡＣ２４Ｖ電源を全波整流した後に平滑した直流電源を、「ＤＣ３４Ｖ電源」と呼んでいる。電源装置は、第２の直流電源（例えば、ＤＣ３４Ｖ電源）の電源容量が、第１の直流電源（例えば、ＤＣ１２Ｖ電源）の電源容量より大きくなるように構成されている。
本発明では、電源装置から供給される、電圧が制御されてなく、電源容量が第１の直流電源より大きい第２の直流電源を、表示部照明装置駆動回路に供給することによって、表示画面サイズの大きい表示部を有する表示装置（したがって、表示部照明装置の数が多い表示装置）の使用に伴う電源容量の不足を解消している。
表示部照明装置駆動回路は、電源装置から供給される、電圧が制御されていない第２の直流電源を設定周波数の交流電源に変換して表示部照明装置に供給する電源変換回路を有している。電源変換回路としては、変圧器とスイッチング回路を有するインバータが用いられる。
遊技機では、一般的には、インバータとして、ＩＣの使用数が少ない自例式インバータが用いられている。本発明では、電源装置から供給される第２の直流電源は、電圧が制御されていないため、電圧が大きく変動する。このため、本発明では、表示部照明装置駆動回路に、インバータのスイッチング回路を制御する制御回路を設け、自励式インバータよりも入力電源の電圧変動に対する安定性が良い他例式インバータを構成している。制御回路は、発振回路から出力される設定周波数の発振信号を用いてスイッチング回路をオン・オフ制御するオン・オフ制御手段を有している。スイッチング回路をオン・オフ制御する方式として、典型的には、発振信号を用いてＰＷＭ（パルス幅変調）制御信号を出力するＰＷＭ制御方式が用いられる。
ここで、他励式インバータの制御回路は、他例式インバータの入力電源の電圧が低下して、他励式インバータから供給される交流電源の電圧（表示部照明装置の電圧）が下限電圧設定値（第１の下限電圧設定値）より小さくなると、スイッチング回路をオフ制御する電圧低下異常処理を実行する（電圧低下異常処理モードを設定する）電圧低下異常処理手段を有している。なお、電源装置から供給される第２の直流電源の電圧（他励式インバータに供給される直流電源の電圧）が第１の下限電圧設定値に対応する設定値より小さくなると電圧低下異常処理を実行するように電圧低下異常処理手段を構成することもできる。「交流電源の電圧が第１の下限電圧設定値より小さくなる」という記載は、交流電源の電圧が、第1の下限電圧設定値より大きい状態から第1の下限電圧設定値より小さい状態に移行することを表している。交流電源の電圧が第１の下限電圧設定値より大きい状態から第１の下限電圧設定値より小さい状態に移行したことを判別する方法としては、種々の方法を用いることができる。例えば、交流電源の電圧が第１の下限電圧設定値より大きくなったことを判別した後に、第１の下限電圧設定値より小さくなったことを判別する方法、制御回路のオン・オフ制御手段がスイッチング回路のオン・オフ制御を開始してから設定時間経過した後に、交流電源の電圧が第１の下限電圧設定値より小さくなったことを判別する方法、交流電源の電圧が第１の下限電圧設定値より小さくなったことと交流電源が減少状態（変化率が負である）にあることを判別する方法を用いることができる。
この電圧低下異常処理手段による電圧低下異常処理の実行（電圧低下異常処理モードの設定）は、制御回路のリセット処理手段がリセット処理を実行することによって完全に解除される。通常、制御回路のリセット処理手段は、動作電源が供給されていない状態から動作電源が供給されて、動作電源の電圧が制御回路の動作開始電圧に達した時（動作電源の供給による動作開始時）にリセット処理を実行するように構成されている。このため、電源装置から供給される第２の直流電源の電圧の低下によって電源変換回路から供給される交流電圧が低下し、電圧低下異常処理手段が電圧低下異常処理を実行した後、制御回路の動作電源の電圧が、制御回路が動作不能となる値より小さくなる前に、第２の直流電源の電圧が増加して制御回路の動作電源の電圧が増加すると、リセット処理手段はリセット処理を実行しない。この場合、電圧低下異常処理手段によるスイッチング回路のオフ制御が継続されて表示部照明装置が駆動されない状態が持続するため、表示部に表示されている画像が見難い。
本発明では、表示部照明装置駆動回路は、電源装置から供給される第２の直流電源を入力し、制御回路に動作電源を供給する動作電源供給回路を有している。動作電源供給回路は、電源装置から供給される第２の直流電源の電圧が第２の下限電圧設定値より小さい時には制御回路への動作電源の供給を停止し、第２の下限電圧設定値より大きい時に制御回路に動作電源を供給する。第２の下限電圧設定値は、制御回路の電圧低下異常処理手段が電圧低下異常処理を実行する（電圧低下異常処理モードを設定する）第１の下限電圧設定値に対応する値に設定される。すなわち、電源変換回路から表示部照明装置に供給される交流電源の電圧が第１の下限電圧設定値より小さくなって制御回路の電圧低下異常処理手段が電圧低下異常処理を実行した後に、制御回路への動作電源の供給が停止されるように設定される。例えば、交流電源の電圧が第1の下限電圧設定値と等しくなる時の第２の直流電源の電圧値より小さい値に設定される。
なお、「大きい」、「小さい」等の記載は、等号を含んでもよいし、含まなくてもよい。また、「第２の直流電源の電圧が第２の下限電圧設定値より小さい時」及び「第２の直流電源の電圧が第２の下限電圧設定値より大きい時」等の記載は、いずれか一方に等号を含むことを意味している。
本発明の第２発明は、請求項２に記載された通りの遊技機である。
請求項２に記載の遊技機は、請求項１に記載の遊技機であって、前記動作電源供給回路は、前記電源装置から供給される第２の直流電源を前記制御回路の動作電圧に対応する電圧を有する動作電源に変換する電圧変換回路と、前記電源装置から供給される第２の直流電源の電圧が前記第２の下限電圧設定値より小さい時には前記電圧変換回路から前記制御回路への動作電源の供給を遮断し、前記電源装置から供給される第２の直流電源の電圧が前記第２の下限電圧設定値より大きい時には前記電圧変換回路から前記制御回路への動作電源の供給を許可する動作電源遮断回路を有していることを特徴とする。
動作電源遮断回路は、電圧変換回路から制御回路への動作電源の通過を阻止するように構成することもできるし、電圧変換回路から制御回路への動作電源をバイパスするように構成することもできる。
本発明の第３発明は、請求項３に記載された通りの遊技機である。
請求項３に記載の遊技機は、請求項１または２に記載の遊技機であって、前記オン・オフ制御手段は、前記発振回路から出力される設定周波数の発振信号と前記表示部照明装置の電流に基づいて前記スイッチング回路をオン・オフ制御することを特徴とする。
オン・オフ制御手段（制御回路）は、表示部照明装置の電流に基づいて、典型的には設定電流値となるようにスイッチング回路を制御する。
【手続補正３】
【補正対象書類名】明細書
【補正対象項目名】０００５
【補正方法】変更
【補正の内容】
【０００５】
請求項１に記載の遊技機では、電源装置から供給される、電圧が制御された第１の直流電源に代えて、電圧が制御されてなく、第１の直流電源の電源容量より大きい第２の直流電源を表示部照明装置駆動回路に供給している。これにより、表示部の表示画面サイズが大きい、すなわち、表示部照明装置の数が多い表示装置を用いる場合でも、電源装置を変更する必要がないため、安価に構成することができる。
また、表示部照明装置駆動回路に設けられるインバータとして、他励式インバータを用いている。これにより、電圧が制御されていない第２の直流電源の電圧変動による影響を低減することができる。
また、第２の直流電源の電圧が第２の下限電圧設定値より小さい時には制御回路への動作電源の供給を停止し、第２の下限電圧設定値より大きい時に制御回路に動作電源を供給する動作電源供給回路を設けている。これにより、第２の直流電源の電圧低下により電源変換回路から供給される交流電源の電圧が低下して制御回路の電圧低下異常処理手段が電圧低下異常処理を実行した場合、第２の直流電源の電圧が上昇する時に制御回路のリセット処理手段が確実にリセット処理を実行するため、表示部照明装置が駆動されない状態が持続されるのを防止することができる。
また、請求項２に記載の遊技機は、動作電源供給回路を電圧変換回路と動作電源遮断回路により構成しているため、一方を変更するのみで動作電源供給回路を容易に変更することができる。
また、請求項３に記載の遊技機は、表示部照明装置の電流を制御することができるため、表示部照明装置を安定に動作させることができる。